(57)【要約】  エレベータのかご室照明装置は、かご室内へ向けて光を照射する光源部と、光源部の前方に配置されたプリズムカット照明板とを有している。光源部は、互いに間隔をおいて設けられた複数の点光源を有している。プリズムカット照明板には、点光源の配置ピッチ以下のピッチでプリズム状の複数の凹凸が形成されている。
2011129010.tif 000002
【特許請求の範囲】
【請求項１】
互いに間隔をおいて設けられた複数の点光源を有し、かご室内へ向けて光を照射する光源部、及び
前記光源部の前方に配置され、かつ前記点光源の配置ピッチ以下のピッチでプリズム状の複数の凹凸が形成されており、前記点光源からの光を透過する透明なプリズムカット照明板
を備えているエレベータのかご室照明装置。
【請求項２】
前記点光源は、発光ダイオードである請求項１記載のエレベータのかご室照明装置。
【請求項３】
前記光源部と前記プリズムカット照明板との間に配置され、前記点光源からの光を透過する特殊コーティング照明板をさらに備え、
前記特殊コーティング照明板には、見る方向によって透過した光の色が変化する特殊コーティングが施されている請求項１記載のエレベータのかご室照明装置。
【請求項４】
互いに間隔をおいて設けられた複数の点光源を有し、かご室内へ向けて光を照射する光源部、及び
前記光源部の前方に配置され、前記点光源からの光を透過する特殊コーティング照明板
を備え、
前記特殊コーティング照明板には、見る方向によって透過した光の色が変化する特殊コーティングが施されているエレベータのかご室照明装置。
【発明の詳細な説明】
【技術分野】
【０００１】
この発明は、エレベータのかご室に設けられ、例えばＬＥＤ等の複数の点光源を用いるかご室照明装置に関するものである。
【背景技術】
【０００２】
従来のエレベータのかご室照明装置では、赤色、青色、黄色の光を発する複数の着色蛍光灯が枠体内の側面に取り付けられている。枠体の下部には、多数の貫通孔が設けられた照明板が設けられている。また、照明板上には、複数の間隔部材を介して複数の補助板が取り付けられている。これらの補助板にも、多数の貫通孔が設けられている。着色蛍光灯から発せられた光は、枠体内で乱反射され、カクテル光線として貫通孔からかご室内に照射される（例えば、特許文献１参照）。
【先行技術文献】
【特許文献】
【０００３】
【特許文献１】特開平１１−１８９３８２号公報
【発明の概要】
【発明が解決しようとする課題】
【０００４】
上記のような従来のかご室照明装置では、奥行感や立体感を持たせるためには、照明板を台形状に形成したり、それに伴って一部の補助板を傾斜して配置したりする必要があり、構成が複雑になる。また、異なる照明デザインを得るためには、貫通孔の数や位置、照明板と補助板との間隔、照明板の形状等を変更する必要があり、照明デザインのバリエーションを増やすのが難しい。【０００５】
この発明は、上記のような課題を解決するためになされたものであり、簡単な構成で、照明デザインの自由度を向上させることができ、意匠性を向上させることができるエレベータのかご室照明装置を得ることを目的とする。
【課題を解決するための手段】
【０００６】
この発明に係るエレベータのかご室照明装置は、互いに間隔をおいて設けられた複数の点光源を有し、かご室内へ向けて光を照射する光源部、及び光源部の前方に配置され、かつ点光源の配置ピッチ以下のピッチでプリズム状の複数の凹凸が形成されており、点光源からの光を透過する透明なプリズムカット照明板を備えている。
また、この発明に係るエレベータのかご室照明装置は、互いに間隔をおいて設けられた複数の点光源を有し、かご室内へ向けて光を照射する光源部、及び光源部の前方に配置され、点光源からの光を透過する特殊コーティング照明板を備え、特殊コーティング照明板には、見る方向によって透過した光の色が変化する特殊コーティングが施されている。
【発明の効果】
【０００７】
この発明のエレベータのかご室照明装置は、複数の点光源を有する光源部と、点光源の配置ピッチ以下のピッチでプリズム状の複数の凹凸が形成されたプリズムカット照明板とを組み合わせたので、かご室内からはプリズムカット照明板を通して点光源からの光が見え、また、プリズムカット照明板の凹凸形状を変更することで照明デザインを容易に変更でき、簡単な構成で、照明デザインの自由度を向上させることができ、意匠性を向上させることができる。
また、この発明のエレベータのかご室照明装置は、複数の点光源を有する光源部と、特殊コーティング照明板とを組み合わせたので、かご室内からは特殊コーティング照明板を通して点光源からの光が見え、また、特殊コーティング照明板の形状、大きさ、位置等を変更することで照明デザインを容易に変更でき、簡単な構成で、照明デザインの自由度を向上させることができ、意匠性を向上させることができる。
【図面の簡単な説明】
【０００８】
【図１】この発明の実施の形態１によるかご室を示す構成図である。
【図２】図１の照明ボックスの断面図である。
【図３】図２のプリズムカット照明板の第１例を示す斜視図である。
【図４】図２のプリズムカット照明板の第２例を示す斜視図である。
【図５】図２の照明ボックスを示す底面図である。
【図６】図５の照明ボックスから１枚のプリズムカット照明板を取り外した状態を示す底面図である。
【図７】図２の光源部を示す正面図である。
【図８】図２のプリズムカット照明板による光の透過・屈折の様子を模式的に示す説明図である。
【図９】この発明の実施の形態２によるかご室照明装置の断面図である。
【発明を実施するための形態】
【０００９】
以下、この発明を実施するための形態について、図面を参照して説明する。
実施の形態１．
図１はこの発明の実施の形態１によるかご室を示す構成図である。図において、かご室１は、複数のかご室壁２と、天井３とを有している。天井３には、照明ボックス４が設けられている。
【００１０】
図２は図１の照明ボックス４の断面図である。照明ボックス４内の上部には、かご室１内へ向けて光を照射する光源部５が固定されている。光源部５は、放熱板５ａと、放熱板５ａに取り付けられた複数の照明ユニット基板６とを有している。放熱板５ａは、例えば、鋼材、アルミニウム、又は放熱機能を有する樹脂等により構成されている。
【００１１】
各照明ユニット基板６には、点光源としての複数のＬＥＤ（発光ダイオード）７が互いに間隔をおいて実装されている。ＬＥＤ７としては、基本的に白色光を発光するものが用いられるが、照明デザインに応じて、電球色や他の色を発光するものを用いてもよい。
【００１２】
照明ボックス４には、光源部５に対向する開口が設けられている。照明ボックス４の開口には、天井目地８が設けられている。天井目地８は、開口の縁部に沿う部分と、開口を横切る部分とを有している。照明ボックス４の光源部５の前方、即ち下方には、複数のプリズムカット照明板９が設けられている。プリズムカット照明板９は、例えば透明なプラスチックにより構成され、ＬＥＤ７からの光をかご室１内へ透過する。各プリズムカット照明板９の周縁部は、天井目地８上に支持されている。
【００１３】
図３は図２のプリズムカット照明板９の第１例を示す斜視図である。プリズムカット照明板９には、ＬＥＤ７の配置ピッチよりも小さいピッチでプリズム状の複数の凹凸が形成（プリズムカット加工）されている。第１例では、プリズムカット照明板９の下面に、一方向に連続して延在する断面三角形の多数の凸部が形成されている。
【００１４】
図４は図２のプリズムカット照明板９の第２例を示す斜視図である。第２例では、プリズムカット照明板９の下面に、ＬＥＤ７の配置ピッチよりも小さいピッチで、多数の四角錐（図では単に四角形として示す）が形成されている。
【００１５】
図５は図２の照明ボックス４を示す底面図（かご室１内から見た図）、図６は図５の照明ボックス４から１枚のプリズムカット照明板９を取り外した状態を示す底面図、図７は図２の光源部５を示す正面図（かご室１内から見た図）である。照明ボックス４の四隅の近傍には、ダウンライト１０が設けられている。ＬＥＤ７は、マトリクス状に配列されている。実施の形態１のかご室照明装置は、照明ボックス４、光源部５、天井目地８及びプリズムカット照明板９を有している。
【００１６】
図８は図２のプリズムカット照明板９による光の透過・屈折の様子を模式的に示す説明図である。１個のＬＥＤ７から照射された光は、プリズムカット照明板９の凹凸により様々な方向に屈折され拡散される。
【００１７】
プリズムカット加工が施されていない平滑な照明板を用いた場合、ＬＥＤ７からの光は、ＬＥＤ７の配光角度に応じた領域しか視覚的に捉えることができず、照明板の有無によらず見える範囲は一定である。また、平滑な照明板を用いた場合、見る角度による光の見え方の変化もない。
【００１８】
これに対して、プリズムカット照明板９を用いた場合、プリズムカット加工された部分で光が屈折され拡散されるため、平滑な照明板では視野角に入らなかったＬＥＤ７からの光を視覚的に捉えることが可能となる。従って、カット形状に応じた光の演出が可能となり、また、見る角度によっても光の立体的な見え方（形状）に変化をもたらすことができる。
【００１９】
このようなかご室照明装置では、ＬＥＤ７を用いた光源部５と、ＬＥＤ７の配置ピッチよりも小さいピッチでプリズム状の凹凸が形成されたプリズムカット照明板９とを組み合わせたので、かご室１内からはプリズムカット照明板９を通してＬＥＤ７からの光が見え、また、プリズムカット照明板９の凹凸形状を変更することで照明デザインを容易に変更でき、簡単な構成で、照明デザインの自由度を向上させることができ、意匠性を向上させることができる。
【００２０】
実施の形態２．
次に、図９はこの発明の実施の形態２によるかご室照明装置の断面図である。図において、光源部５とプリズムカット照明板９との間には、ＬＥＤ７からの光を透過する複数の特殊コーティング照明板１１が配置されている。特殊コーティング照明板１１は、一部のＬＥＤ７に対向して配置されている。
【００２１】
各特殊コーティング照明板１１には、見る方向によって透過した光の色が虹色（７色）に変化する特殊コーティングが施されている。即ち、特殊コーティング照明板１１は、入射した光を波長によって分散して出射する。このような特殊コーティング照明板１１としては、例えば、エボニック・デグサ社（ドイツ国）製のプレキシグラス・ラディアント（PLEXIGLAS RADIANT）（商品名）を用いることができる。他の構成は、実施の形態１と同様である。
【００２２】
このようなかご室照明装置では、特殊コーティング照明板１１を用いたので、かご室１内における乗客の位置によって、ＬＥＤ７の色が変化して見えるため、意匠性を向上させることができる。また、特殊コーティング照明板１１の形状、大きさ、位置等を変更することで照明デザインを容易に変更でき、簡単な構成で、照明デザインの自由度を向上させることができ、意匠性をさらに向上させることができる。
【００２３】
なお、実施の形態２では、特殊コーティング照明板１１を部分的に配置したが、光源部５の全体に対向するように配置してもよい。
また、実施の形態２では、光源部５とプリズムカット照明板９との間に特殊コーティング照明板１１を配置したが、プリズムカット照明板９の位置と特殊コーティング照明板１１の位置とを入れ替えてもよい。この場合、プリズムカット照明板９は、部分的に配置しても光源部５の全体に対向するように配置してもよい。また、プリズムカット照明板９を省略してもよく、特殊コーティング照明板１１のみによっても意匠性を向上させることができる。
【００２４】
さらに、実施の形態１、２では、ＬＥＤ７とプリズムカット照明板９との間にある程度の間隔を設けたが、ＬＥＤ７をプリズムカット照明板９に近接させてもよい。
さらにまた、プリズムカット照明板９に形成する凹凸の形状、数、大きさは様々な変更が可能であり、また、プリズムカット照明板９の凹凸のピッチを点光源の配置ピッチと同等としてもよい。
また、実施の形態１、２では、光源部５とかご室１内との間にプリズムカット照明板９を１層のみ配置したが、複数層に重ねて配置してもよい。この場合、種類の異なるプリズムカット照明板９を重ねても、同じ種類のプリズムカット照明板９を重ねてもよい。また、プリズムカット照明板９間に間隔をおいても、間隔を置かずに積層してもよい。
【００２５】
さらに、プリズムカット照明板９の平面形状、枚数、レイアウト等についても、実施の形態１、２に限定されない。
さらにまた、種類の異なるプリズムカット照明板９を同一平面内に並べて配置してもよい。
【００２６】
また、実施の形態１、２では、かご室１内の乗客の位置によって照明デザインの見え方が変化するが、光源部５、プリズムカット照明板９及び特殊コーティング照明板１１の少なくともいずれか１つを、モータ等の駆動手段により動かすことにより、照明デザインの見え方を積極的に変化させてもよい。このような駆動方法としては、例えば、プリズムカット照明板９や特殊コーティング照明板１１の傾斜角度を変化させたり、プリズムカット照明板９を水平面内で回転させたりする方法が挙げられる。
【００２７】
さらに、例えば、図５に示したダウンライト１０、又はスポットライトなど、局所的照明装置についても、プリズムカット照明板９や特殊コーティング照明板１１を用いることができる。例えば、スポットライトに適用する場合、ドーム状の反射板内に複数の点光源を互いに間隔をおいて配置し、その下方にプリズムカット照明板９及び特殊コーティング照明板１１の少なくともいずれか一方を配置すればよい。このような構成では、照明装置に対向するかご室１内の床面や壁面に光の模様を生じさせることができ、かご室１内全体の意匠性を向上させることができる。
【００２８】
さらにまた、実施の形態１、２では、点光源としてＬＥＤ７を用いたが、点光源はＬＥＤ７に限定されるものではなく、例えばレンズ付きの白熱灯などであってもよい。また、点光源の発光形状も一般的な円形に限定されるものではなく、例えば、リング形（ドーナツ形）、四角形、三角形等であってもよい。
また、実施の形態１、２では、この発明のかご室照明装置を天井３に設けたが、設置位置は天井３に限定されるものではなく、例えばかご室壁２やかご床に設置してもよい。
【図１】
2011129010.tif 000003
【図２】
2011129010.tif 000004
【図３】
2011129010.tif 000005
【図４】
2011129010.tif 000006
【図５】
2011129010.tif 000007
【図６】
2011129010.tif 000008
【図７】
2011129010.tif 000009
【図８】
2011129010.tif 000010
【図９】
2011129010.tif 000011
【国際調査報告】
2011129010.tif 000012
2011129010.tif 000013
2011129010.tif 000014
2011129010.tif 000015